(57)【特許請求の範囲】
【請求項１】
温度を検出する測温素子と、該測温素子によって測定した温度を表示する表示装置と、所定の操作を行う操作スイッチと、該電子体温計が所定状態になっていることを報知する振動発生装置とを有する生体の体温を測定する電子体温計であって
前記電子体温計は、幅と、厚みと、それらの寸法より長い長手方向長さを持つ形状であり、
前記操作スイッチと前記振動発生装置とは、前記表示装置の、前記電子体温計の長手方向の一方側に配置され、
前記振動発生装置は、回転軸の回りに回転する偏心重りを備えた前記回転軸の方向に長い形状の振動モータであり、この振動モータをその回転軸の方向が前記電子体温計の長手方向に直交するように配置した、
前記の電子体温計。
【請求項２】
前記電子体温計の長手方向に沿って、前記表示装置、前記操作スイッチ、前記振動発生装置の順に配置されている、請求項１に記載の電子体温計。
【請求項３】
前記電子体温計の長手方向に沿って、前記測温素子、前記表示装置、前記操作スイッチ、前記振動発生装置の順に配置されている、請求項１に記載の電子体温計。
【請求項４】
前記電子体温計は、電池を収納する電池収納部を有し、該電池収納部は前記振動発生装置の反測温部側に配置されている、請求項１から３のいずれか１項に記載の電子体温計。
【請求項５】
前記電子体温計は、所定の電子部品を実装する回路基板を有し、該回路基板は前記振動発生装置と離間した位置に配置されている、請求項１から４のいずれか１項に記載の電子体温計。
【請求項６】
前記回路基板は、その厚さ方向に前記振動発生装置と平面的に重ならないように配置されている、請求項５に記載の電子体温計。
【請求項７】
前記電子体温計は、前記振動発生装置を保持する中枠を有する、請求項１から６のいずれか１項に記載の電子体温計。
【請求項８】
前記振動発生装置は、回転軸の回りに回転する偏心重りを備えた振動モータであり、前記中枠には切り欠き部または凹部が形成され、前記振動モータの偏心重りはこの切り欠き部または凹部に配置される、請求項７に記載の電子体温計。
【請求項９】
前記操作スイッチは、測温動作を開始させるためのスイッチであり、該操作スイッチを操作してから測定が開始されるまでの間に、前記振動発生装置が動作する、請求項１から８のいずれか１項に記載の電子体温計。
【発明の詳細な説明】
【技術分野】
【０００１】  本発明は、振動モータを有する電子体温計に関する。
【背景技術】
【０００２】  検温が完了したことを使用者に振動で知らせるタイプの電子体温計は、例えば特開平１１−３０４５９７号公報、特開平８−３０４１８９号公報、及び特開平８−１３６３５４号公報などにより知られている。このような電子体温計にあっては、振動を発生させる振動発生装置と、振動発生装置への電力供給をオン／オフする操作スイッチが、温度を検出する測温素子と測定した温度を表示する表示装置のほかに必要となる。【０００３】  ところで、振動発生装置を駆動するに要する電力は大きいため、振動発生装置の振動を体温計を掴んでいる使用者の手にできるだけ効率よく伝達しなければならない。使用者が体温計をもっとも自然の姿勢で手で掴んだとき、表示装置は使用者の見やすい位置にくること、振動源（振動発生装置）が使用者の手（指を含む）に近いところに配されていること、さらに、振動発生装置への電力供給をオン／オフする操作スイッチが操作しやすい位置（例えば、使用者の親指）にあること、の条件が満たされることが望ましい。しかしながら、上に掲げた先行技術はいずれもこれらの条件をすべて満たすものではない。すなわち、前記特開平１１−３０４５９７号公報に記載の体温計は、図１０に示すように、その長手方向の前方に（測温素子２１側に）振動発生装置２２を、後方に表示装置２３を、それぞれ配置し、かつ操作スイッチ２４を表示装置２３の側面に配置している。このため、操作スイッチ２４の操作をしやすい位置に体温計を掴めば、表示装置２３は手（指を含む）でほとんど隠れて見えなくなり、また、振動発生装置２２から手までの距離が長くなって、振動が減衰し手まで十分伝わらなくなる。一方、振動発生装置２２の振動を受け易い位置に体温計を掴めば、表示装置２３は手の後方に位置して見づらくなり、かつ操作スイッチ２４は操作しがたくなる。【０００４】  特開平８−３０４１８９号公報記載の体温計は、図１１に示すように、その長手方向の前方に（測温素子３１側に）表示装置３３を、後方に振動発生装置３２を、それぞれ配置しているが、操作スイッチをどこに設けるかは説明していない。特開平８−１３６３５４号公報記載の体温計は、図１２に示すように、その長手方向の前方に（測温素子４１側に）振動発生装置４２を、後方に表示装置４３を、それぞれ配置しているが、これも操作スイッチをどこに設けるかは説明していない。
【発明の開示】
【０００５】
本発明による電子体温計は、温度を検出する測温素子と、該測温素子によって測定した温度を表示する表示装置と、所定の操作を行う操作スイッチと、該電子体温計が所定状態になっていることを報知する振動発生装置とを有する。しかも、この電子体温計は、幅と、厚みと、それらの寸法より長い長手方向長さを持った形状であり、それら操作スイッチと振動発生装置とが、表示装置の、電子体温計の長手方向の一方側に配置され、振動発生装置は、回転軸の回りに回転する偏心重りを備えた前記回転軸の方向に長い形状の振動モータとして、この振動モータをその回転軸の方向が電子体温計の長手方向に直交するように配置されている。
【０００６】  本発明による電子体温計は、その長手方向に沿って、測温素子、表示装置、操作スイッチ、振動発生装置、電池収納部の順に配置することができる。
【０００８】  電子体温計は所定の電子部品を実装する回路基板を有し、しかも、この回路基板は、その厚さ方向に振動発生装置と平面的に重ならないような位置に配置することができる。
【０００９】  表示装置、振動発生装置、回路基板、電池保持部などを１つの中枠に保持して、その中枠ごと電子体温計の外装ケースに嵌入させることができる。
【００１０】  振動発生装置は、体温測定を開始するときと体温測定が終了したときに作動させることができる。
【００１１】  本発明による電子体温計は、以上の構成を備えるので、操作スイッチを親指にあてた状態で電子体温計を片手で握ったとき、振動発生装置による振動が手に伝わりやすくなり、しかも、表示装置が使用者の見やすい位置に向く。
【図面の簡単な説明】
【００１２】
【図１】本発明の１実施例にかかる電子体温計の平面図である。
【図２】図１のＡ−Ａ断面図である。
【図３】図１の電子体温計の長手方向における断面図（図１のＡ−Ａ断面と垂直な断面図）である。
【図４】図２の中枠を下方から見た図である。
【図５】図１のＣ−Ｃ断面図である。
【図６】図１のＤ−Ｄ断面図である。
【図７】中枠に形成された振動モータ収納凹部の斜視図である。
【図８】図１の電子体温計を右手でもった態様の第１の例である。
【図９】図１の電子体温計を右手でもった態様の第２の例である。
【図１０】振動発生装置を有する体温計の第１の従来例を示す斜視図である。
【図１１】振動発生装置を有する体温計の第２の従来例を示す断面図である。
【図１２】振動発生装置を有する体温計の第３の従来例を示す平面図である。
【発明を実施するための最良の形態】
【００１３】  図１及び図２に示すように、電子体温計は幅Ｗと厚みＤよりも長い長手方向長さＬを有している。この電子体温計の、樹脂成形された外装ケース１の一端側には温度を検出するための測温部２が設けられ、他端には電池３を収納する電池収納部４が設けられている。測温部２はセンサーキャップ２ａと、該センサーキャップ２ａに内蔵されたサーミスタ２ｂ（測温素子）からなる。この電池収納部４には、マイナス側の電池バネ５ａと、プラス側の電池バネ５ｂ（図４）と、電池蓋６と、キャップ７とが設けられている。電池蓋６の開閉により電池３は電池収納部４に装着される。キャップ７は外装ケース１と係合する。【００１４】  外装ケース１の内部空間（空洞部１ｃ）には、チップコンデンサ、半導体素子、チップ抵抗などの電子部品を実装する回路基板８と、液晶表示装置（液晶表示パネル）９とが配置されている。回路基板８は測温部２のサーミスタ２ｂと導線（図示せず）で接続されている。液晶表示パネル９は、サーミスタ２ｂによって測定された温度を表示する。生体からセンサーキャップ２ａに伝わった熱はサーミスタ２ｂで検出され、回路基板８が、このサーミスタ２ｂからの信号を用いて体温等のデータを演算して、演算結果を液晶表示パネル９に表示する。【００１５】  さらに、外装ケース１の空洞部１ｃには、この液晶表示パネル９に隣接して押しボタン式の操作スイッチ１１が、さらに、その操作スイッチ１１に隣接して振動モータ１２（振動発生装置）が、電子体温計の長手方向に沿って配置される。【００１６】  すなわち、外装ケース１の空洞部１ｃ内で、操作スイッチ１１の前方側（測温部２側）には液晶表示パネル９が、また、後方側（電池収納部４側）には振動モータ１２が配されている。また、液晶表示パネル９を基準とすると、操作スイッチ１１及び振動モータ１２は、この液晶表示パネル９に対して電子体温計の一方側（図１の右側）に配置され、他方側には測温部２が配置されている。なお、回路基板８は振動モータ１２と電子体温計の長手方向において所定の間隔を開けて配置することで、回路基板８と振動モータ１２とが電子体温計の厚さ方向に重ならないようにしている。【００１７】  外装ケース１の、液晶表示パネル９の上方部位には四角い窓（貫通穴）が形成され、その窓に液晶表示パネル９を保護するための透明な表示板１０ｂが嵌め込まれている。さらに、この表示板１０ｂと操作スイッチ１１とは、外装ケース１の外表面に取り付けられたフィルム状の風防板１０ａで覆われている。そして、外装ケース１の上面１ａ（操作スイッチ１１のある面）から風防板１０ａと表示板１０ｂとを通して液晶表示パネル９を視認可能である。【００１８】  回路基板８、液晶表示パネル９、振動モータ１２、及び電池３などの要素は１つの中枠１３でもって保持される。この中枠１３は、回路基板８及び液晶表示パネル９を保持する第１の保持部１３ａと、振動モータ１２を保持する第２の保持部１３ｂと、電池収納部４とからなる。【００１９】  中枠１３の第１の保持部１３ａには、外装ケース１と同様に、液晶表示パネル９の上方部位に四角い窓（貫通穴）が形成され、さらにこの窓部の周囲には、図６に示すように、液晶表示パネルの表示面側の外���を支持する支持部１３ｄが形成されている。また、液晶表示パネル９の端子部９ａには、回路基板８と導通をとるための導電ゴム１６が配置され、この導電ゴム１６に回路基板８が接続されている。【００２０】  第１の保持部１３ａは、上方に突設した複数個の柱状凸部１３ａ１を備える。一方、回路基板８にはこの柱状凸部１３ａ１を受け入れる複数の穴（図示せず）が形成されている。そして、第１の保持部１３ａの柱状凸部１３ａ１を回路基板８の穴に差し込んで先端をかしめることによって、回路基板８は中枠１３の第１の保持部１３ａに固定される。【００２１】  第２の保持部１３ｂは、図７に示すように、垂直な壁面１３ｂ１と水平な底面１３ｂ３とからなるモータ収納用凹部を有する。このモータ収納用凹部は、電子体温計の下面１ｂ（操作スイッチ１１が配される側と反対の側の面）に開口する。さらに、第２の保持部１３ｂにおける、振動モータ収納用の凹部の縁には、下方に向けて（該モータ収納用凹部の底面と反対の方に向けて）突出した４個の柱状部１３ｂ５が形成されている。この４個の柱状部１３ｂ５を、蓋部材１５（図４）に形成した４個の穴１５ｂに通し先端をかしめることによって、その蓋部材１５は第２の保持部１３ｂに固定される。第２の保持部１３ｂに固定された蓋部材１５は、図２に示すように、外装ケース１の下側内側面に当接し支持される。そして、振動モータ１は、外装ケースの上面１ａ側を上、下面１ｂ側を下として、この蓋部材１５と第２の保持部１３ｂのモータ収納用凹部の底面とで電子体温計の上下方向から狭持されて固定される。【００２２】  なお、電池収納部４は、中枠１３に設けずに、外装ケース１に形成してもよい。【００２３】  中枠１３の第２の保持部１３ｂの壁面１３ｂ１には、図７に示すように、上下方向に延びる複数の凸条部１３ｂ２が形成されている。さらに、図４及び図５に示すように、蓋部材１５の表裏両面には外装ケース１の長手方向に沿って延びる複数の凸条部１５ａが形成されている。そして、第２の保持部１３ｂに収納された振動モータ１２は、その側面を第２の保持部１３ｂの凸条部１３ｂ２及び蓋部材１５の凸条部１５ａと当接する。また、蓋部材１５は凸条部１５ａを介して外装ケース１の下側内側面と当接する。【００２４】  振動モータ１２は、図３および図５に示すように、直方体形状の本体部分１２ｂと、回転軸１２ａと、回転軸１２ａの一端側の突出部分をガイドする円筒形のガイド部分１２ｃと、回転軸１２ａの一端（突出部分）に取り付けられて回転軸の回りに回転する偏心重り１２ｄとを有する。【００２５】  上記構成の振動モータ１２は、中枠１３の第２の保持部１３ｂに収納され、図５に示すように、中枠１３の底面部１３ｂ３と、蓋体１５の点線Ｔで囲まれた支持部１５ｃ（蓋体１５の、振動モータ１２の本体部分１２ｂと平面的に重なる部分）とで、図２に示す電子体温計の上下方向から支持される。【００２６】  この振動モータ１２は、回転軸１２ａの回りに回転する偏心重り１２ｄを備える構成のため、回転軸１２ａの方向に長く伸びた外形をしている。この振動モータ１２は、その回転軸１２ａが電子体温計の長手方向に対して直交する方向に第２の保持部１３ｂに収納される。さらに、��動モータ１２は、できるだけ回路基板８の方に近接させて配置している。また、第２の保持部１３ｂには、振動モータ１２の回転軸１２ａが回転したときに偏心重り１２ｄが当たらないように、切欠きまたは凹部などよりなる逃げ部１３ｃが形成されている。【００２７】  振動モータ１２が、第２の保持部１３ｂのモータ収納用凹部に収納され、かつモータ収納用凹部に蓋部材１５が取り付けられた状態では、振動モータ１２が動作したときの振動は、第２の保持部１３ｂ及び蓋部材１５を介して外装ケース１に伝わるので、外装ケース１に触れた使用者にはその振動を感知することができる。【００２８】  電子体温計の操作スイッチ１１を押すと、振動モータ１２が一定時間動作して、外装ケース１を振動させる。また、振動発生と同時に液晶表示パネル９の表示パターンが全て点灯し（全点灯）、その後、前回測定した値が表示される（前回値表示）。振動モータ１２による外装ケース１の振動は約０．１秒の長さであり、全点灯及び前回値表示はいずれも約２または３秒の長さである。使用者は、振動を感知して測定が開始されることを認識し、前回測定された値を見てから測定部２を測温部位である腋の下に挟む。【００２９】  前回測定した値が液晶表示パネル９に表示された後には、サーミスタ２ｂを用いて測温動作が開始される。測温動作は所定時間間隔で連続して行われる。検出温度が所定値以上のとき液晶表示パネル９に表示される。検出温度の時間に対する変化が所定値以下になって（すなわち、安定検出が行われて）測温動作が終了したときには、振動モータ１２が自動的に約３秒間振動する。その結果、使用者は外装ケース１の振動によって体温測定が終了したことを知らされる。それから、使用者は電子体温計を腋の下から取り出して、液晶表示パネル９に表示されている温度を読み取る。振動モータ１２による報知後、操作スイッチ１１を押すと、外装ケース１が約０．１秒間振動して電源が切れる。【００３０】  この電子体温計の操作スイッチ１１を、無理なく自然に操作する場合の電子体温計の持ち方の例を２つ説明する。【００３１】  第１例は、図８に示すように、親指を電子体温計本体の長手方向とほぼ同じ方向に伸ばして操作スイッチ１１に当て、中指は、その第１関節から第２関節の間を外装ケース１の裏面側の、操作スイッチ１１と電池３の間の位置に当て、さらに、人差し指は、その第１関節付近を外装ケース１の裏面側に当てて、電子体温計を持つ持ち方である。【００３２】  第２例は、図９に示すように、電子体温計の電池収納部４側の端部を人差し指の付け根付近に乗せた状態で親指を操作スイッチ１１に当て、中指を外装ケース１の液晶表示パネル９の裏面側に当て、さらに、人差し指を外装ケース１の側面に添えて、電子体温計をもつ持ち方である。【００３３】  これらの持ち方、又はこれらを多少変形した持ち方をすると、無理なく自然な姿勢で液晶表示パネル９を使用者の顔の正面の読み取りやすい位置に持ってくることができる。（ただし、液晶表示パネル９に表示される文字の向きは、図８及び図９の符号「２」、「９」と同様の向きであり、文字の上下方向が図面の上下方向と一致するよう表示されているものとする。）また、電子体温計を持ち替えずに、そのまま測温部位である腋の下に挟むこともできる。そして、これらの持ち方は、手で握る部分や、手が触れる部分またはそれらの付近に振動モータ１２が位置し、振動モータ１２と手（指）との位置が近くなり、振動が手に伝わりやすい。【００３４】  すなわち、本実施形態では、液晶表示パネル９の後方に（測温素子２ａから電子体温計の長手方向に遠ざかる方向に）操作スイッチ１１を配置し、さらにその操作スイッチ１１の後方に振動モータ１２を配置したので、液晶表示パネル９を手で覆わないように操作スイッチ１１に指を当てて電子体温計を持つと、自然に、液晶表示パネル９と反対側に位置する振動モータ１２付近を握ったり、触れたりすることになり、その結果、振動が手に伝わりやすくなる。また、仮に、操作スイッチ１１とモータ１２の位置を入れ換えて配置した場合には、図８のような持ち方をすると（位置を入れ換えた操作スイッチ１１に親指を当てると）、人指し指がモータ１１に近い位置に触れ、一方、図９のような持ち方をすると（位置を入れ換えた操作スイッチ１１に親指を当てると）、中指がモータ１１に近い部分に触れることになり、いずれもモータ１１の振動が手に伝わりやすい。【００３５】  すなわち、液晶表示パネル９に対して電子体温計の長手方向の一方側に、操作スイッチ１１とモータ１２とを配置することにより、操作スイッチ１１とモータ１２とが比較的近い位置に配置されることになり、操作スイッチ１１を無理なく自然に操作できるように電子体温計を持つと、振動が伝わりやすい。【００３６】  また、本実施形態では、上記したように、操作スイッチ１１を押したときに振動させることで、体温測定開始前に予め、振動の強さを体感しておくことができるから、測定完了時の振動を感知しやすい。【００３７】  また、本実施形態では、回路基板８と振動モータ１２とを離間して配置することで、回路基板８に実装されている電子部品に振動モータ１２の振動が直接伝わらないようにしているので、振動による電子部品の破損や劣化を防ぐことができ、電子部品の信頼性が確保され、製品寿命が長期にわたり保障される。【００３８】  また、本実施形態では、電池収納部４が電子体温計の後端部にあるので、いろいろな電池着脱方式から無理なく自由に選択できる。たとえば、キャップ７に電池３を保持する保持部を設け、この保持部に電池３を保持したままキャップ７を外装ケース１に着脱可能にし、キャップ７を外装ケース１に装着したときに、外装ケース１側とキャップ７側とで電池の導通をとるように構成することができる。また、電池交換のときには、キャップ７を外装ケース１から取り外すことで、キャップ７の保持部に保持されている電池を取り出すことができる。【００３９】  図１および図２に示した実施例では、電子体温計の長手方向に測温素子２ａから遠ざかる方向に、液晶表示パネル９、操作スイッチ１１、振動モータ１２をそれらの順に配置している。しかし、これとは逆に、電子体温計の長手方向に測温素子２ａから遠ざかる方向に、振動モータ１２、操作スイッチ１１、液晶表示パネル９をそれら順に配置してもよい。すなわち、液晶表示パネル９の測温部２側に振動モータ１２と操作スイッチ１１を配置した場合も、左手の親指を操作スイッチ１１に当て、左手の残りの指で側温部側を持つと、振動が手に伝わりやすく、液晶表示パネル９に表示される文字も読みやすい。【００４０】  本実施形態では、回路基板８（及び液晶表示パネル９）と振動モータ１２とが電子体温計の厚さ方向において重ならないようにしているため、電子体温計の厚さを薄くできる。さらに、振動モータ１２を、その回転軸１２ａの方向が電子体温計の長手方向に直交するように配置しているため、回転軸１２ａの方向が電子体温計の長手方向に平行に配置した場合に較べ、電子体温計の長手方向寸法が短くできる。【００４１】  このように、本発明による電子体温計はその厚さ及び長さを小さくできるので、小型化され、その結果、振動モータ１２の振動が、効率良く使用者に伝わる。【００４２】  本実施形態によれば、回路基板８、液晶表示パネル９、振動モータ１２及び電池収納部４が１つの中枠１３で保持されるので、これら回路基板８、液晶表示パネル９、振動モータ１２及び電池収納部４を中枠１３に組み込んで、その中枠１３を外装ケース１内に収納することにより、これらの部品を容易に外装ケース１内に組み込むことができる。また、振動モータ１２及びその他の必要な部品を、外装ケース１の中に収納する前の、中枠１３に保持した状態でチェックできるので、異常振動を検出しやすい。【００４３】  蓋部材１５は、図２に示すように、外装ケース１の下側内側面に当接し支持されるため、振動モータ１２の振動が直接外装ケース１に伝わる。この、外装ケース１の、蓋部材１５に当接する部位またはその近傍を、使用者が操作スイッチ１１を操作するときに指を触れやすい位置にすれば、操作スイッチ１１の操作の際に、指に振動が伝わりやすい。操作スイッチ１１を操作するときには、液晶表示パネル９を上に向けた状態で電子体温計を持つから、電子体温計の外装ケース１の下側の外表面に指を触れやすく、その指に振動モータ１２の振動が蓋部材１５を介して伝わる。【００４４】  また、特に、振動モータ１２を支持する蓋体１５を、中枠１３の第２の保持部１３ｂに固定した状態で、外装ケース１の内面に当接させることにより、振動モータ１２が駆動しても蓋体１５の固定部分をゆるみにくくすることができる。このとき、中枠１３の第２の保持部１３ｂも蓋体１５を介して外装ケース１の内面に当接して支持されるため、第２の保持部１３ｂ及びそこで保持されている部品の外装ケース１内での振動を防止できる。なお、中枠１３の第１の保持部１３ａ及び／又は第２の保持部１３ｂ自体を外装ケース１の内面に当接し支持される構造として、外装ケース１内での中枠１３の振動を防止するようにしてもよい。
【図１】
0004627261.tif 000002
【図２】
0004627261.tif 000003
【図３】
0004627261.tif 000004
【図４】
0004627261.tif 000005
【図５】
0004627261.tif 000006
【図６】
0004627261.tif 000007
【図７】
0004627261.tif 000008
【図８】
0004627261.tif 000009
【図９】
0004627261.tif 000010
【図１０】
0004627261.tif 000011
【図１１】
0004627261.tif 000012
【図１２】
0004627261.tif 000013